(57)【要約】【課題】  １個のファンにより給湯バーナと暖房バーナとに燃焼用の空気を供給する場合に、異常音の発生を防止して、所望の給湯温度を確保することができる熱源装置を提供する。【解決手段】  ントローラ２０は、給湯全開燃焼命令を受けた場合、暖房全開燃焼であるか否かを確認する。暖房全開燃焼である場合、コントローラ２０は、暖房能力切換弁４４Ｓを閉弁して、暖房能力切換弁４４Ｓに接続された暖房バーナブロック４−２Ｓの２個の単位バーナ４ａの燃焼を停止し、暖房バーナ４−２の燃焼範囲を「燃焼範囲中」に切替える。コントローラ２０は、給湯全開燃焼を開始するように制御する。コントローラ２０は、給湯全開燃焼時間が３０秒経過したと判定した場合には、暖房能力切換弁４４Ｓを開弁して、暖房能力切換弁４４Ｓに接続された暖房バーナブロック４−２Ｓの２個の単位バーナ４ａの燃焼を開始させ、暖房バーナ４−２の燃焼範囲を「燃焼範囲大」に切替える。【選択図】  図３
2017156034.tif 000002
【特許請求の範囲】
【請求項１】
給水管及び給湯管に接続された給湯熱交換器と、
燃焼範囲を区画する複数の給湯バーナブロックにより構成され、前記給湯熱交換器を加熱する給湯バーナと、
暖房端末が接続された暖房循環回路の途中に接続された暖房熱交換器と、
燃焼範囲を区画する複数の暖房バーナブロックにより構成され、前記暖房熱交換器を加熱する暖房バーナと、
前記複数の給湯バーナブロックへの燃料ガスの供給と遮断とを、前記複数の給湯バーナブロック毎に切替える給湯能力切換弁と、
前記複数の暖房バーナブロックへの燃料ガスの供給と遮断とを、前記複数の暖房バーナブロック毎に切替える暖房能力切換弁と、
前記給湯バーナ、前記暖房バーナ、前記給湯能力切換弁、及び前記暖房能力切換弁の駆動を制御するコントローラと、
前記給湯バーナ及び前記暖房バーナに向けて燃焼用の空気を供給するファンと、
を備えた熱源装置であって、
前記コントローラは、
前記複数の暖房バーナブロックの全てに燃料ガスを供給して前記暖房バーナを燃焼させる暖房全開燃焼制御の実行中に、前記複数の給湯バーナブロックの全てに燃料ガスを供給して前記給湯バーナを燃焼させる給湯全開燃焼制御を開始するときには、前記複数の暖房バーナブロックの一部又は全てへの燃料ガスの供給を遮断した状態で前記給湯全開燃焼制御を開始し、該給湯全開燃焼制御の開始時点から所定時間が経過したときに前記暖房全開燃焼制御を再開することを特徴とする熱源装置。
【請求項２】
給水管及び給湯管に接続された給湯熱交換器と、
燃焼範囲を区画する複数の給湯バーナブロックにより構成され、前記給湯熱交換器を加熱する給湯バーナと、
暖房端末が接続された暖房循環回路の途中に接続された暖房熱交換器と、
燃焼範囲を区画する複数の暖房バーナブロックにより構成され、前記暖房熱交換器を加熱する暖房バーナと、
前記複数の給湯バーナブロックへの燃料ガスの供給と遮断とを、前記複数の給湯バーナブロック毎に切替える給湯能力切換弁と、
前記複数の暖房バーナブロックへの燃料ガスの供給と遮断とを、前記複数の暖房バーナブロック毎に切替える暖房能力切換弁と、
前記給湯バーナ、前記暖房バーナ、前記給湯能力切換弁、及び前記暖房能力切換弁の駆動を制御するコントローラと、
前記給湯バーナ及び前記暖房バーナに向けて燃焼用の空気を供給するファンと、
を備えた熱源装置であって、
前記コントローラは、
前記複数の給湯バーナブロックの全てに燃料ガスを供給して前記給湯バーナを燃焼させる給湯全開燃焼制御の実行中で、該給湯全開燃焼制御の開始時点から所定時間が経過していない場合に、前記複数の暖房バーナブロックの全てに燃料ガスを供給して前記暖房バーナを燃焼させる暖房全開燃焼制御を開始するときには、前記複数の暖房バーナブロックの一部又は全てへの燃料ガスの供給を遮断した状態とし、前記給湯全開燃焼制御の開始時点から所定時間が経過したときに前記暖房全開燃焼制御を開始することを特徴とする熱源装置。
【発明の詳細な説明】
【技術分野】
【０００１】
本発明は、給湯機能と暖房機能を備えた熱源装置に関する。
【背景技術】
【０００２】
熱源装置として、給湯バーナと、給湯燃焼用の空気を給湯バーナに供給する給湯燃焼ファンと、暖房バーナと、暖房燃焼用の空気を暖房バーナに供給する暖房燃焼ファンとを備えた給湯器が知られている（例えば、特許文献１）。
【０００３】
特許文献１に記載の給湯器では、暖房燃焼中に給湯の燃焼開始信号が入力された際に、所定の時間、暖房燃焼ファンを最小回転数で回転させ、さらに、暖房燃焼ガス量を最小ガス量に制御して暖房燃焼量を抑えることで、給湯燃焼の燃焼が安定しない状態で暖房全開燃焼を行った際に発生しやすい共鳴音（異常音）の発生を防止している。
【０００４】
また、近年では、１個のファンにより、給湯バーナと暖房バーナとに燃焼用の空気を供給する熱源装置が知られている。
【先行技術文献】
【特許文献】
【０００５】
【特許文献１】特開平１１−１０８３５４号公報
【発明の概要】
【発明が解決しようとする課題】
【０００６】
１個のファンにより、給湯バーナと暖房バーナとに燃焼用の空気を供給する熱源装置では、暖房燃焼中に給湯の燃焼開始信号が入力された際に、特許文献１に記載された給湯器のように、異常音の防止のためにファンを最小回転数で回転させて暖房燃焼量を抑えると、給湯バーナに供給される空気量も減少するため、給湯燃焼量も減少し、所望する給湯温度を確保することができない。
【０００７】
本発明は、このような事情に鑑みてなされたものであり、１個のファンにより給湯バーナと暖房バーナとに燃焼用の空気を供給する場合に、異常音の発生を防止して、所望の給湯温度を確保することができる熱源装置を提供することを目的とする。
【課題を解決するための手段】
【０００８】
本発明の熱源装置は、給水管及び給湯管に接続された給湯熱交換器と、燃焼範囲を区画する複数の給湯バーナブロックにより構成され、前記給湯熱交換器を加熱する給湯バーナと、暖房端末が接続された暖房循環回路の途中に接続された暖房熱交換器と、燃焼範囲を区画する複数の暖房バーナブロックにより構成され、前記暖房熱交換器を加熱する暖房バーナと、前記複数の給湯バーナブロックへの燃料ガスの供給と遮断とを、前記複数の給湯バーナブロック毎に切替える給湯能力切換弁と、前記複数の暖房バーナブロックへの燃料ガスの供給と遮断とを、前記複数の暖房バーナブロック毎に切替える暖房能力切換弁と、前記給湯バーナ、前記暖房バーナ、前記給湯能力切換弁、及び前記暖房能力切換弁の駆動を制御するコントローラと、前記給湯バーナ及び前記暖房バーナに向けて燃焼用の空気を供給するファンと、を備えた熱源装置であって、前記コントローラは、前記複数の暖房バーナブロックの全てに燃料ガスを供給して前記暖房バーナを燃焼させる暖房全開燃焼制御の実行中に、前記複数の給湯バーナブロックの全てに燃料ガスを供給して前記給湯バーナを燃焼させる給湯全開燃焼制御を開始するときには、前記複数の暖房バーナブロックの一部又は全てへの燃料ガスの供給を遮断した状態で前記給湯全開燃焼制御を開始し、該給湯全開燃焼制御の開始時点から所定時間が経過したときに前記暖房全開燃焼制御を再開することを特徴とする。
【０００９】
本発明の熱源装置は、給水管及び給湯管に接続された給湯熱交換器と、燃焼範囲を区画する複数の給湯バーナブロックにより構成され、前記給湯熱交換器を加熱する給湯バーナと、暖房端末が接続された暖房循環回路の途中に接続された暖房熱交換器と、燃焼範囲を区画する複数の暖房バーナブロックにより構成され、前記暖房熱交換器を加熱する暖房バーナと、前記複数の給湯バーナブロックへの燃料ガスの供給と遮断とを、前記複数の給湯バーナブロック毎に切替える給湯能力切換弁と、前記複数の暖房バーナブロックへの燃料ガスの供給と遮断とを、前記複数の暖房バーナブロック毎に切替える暖房能力切換弁と、前記給湯バーナ、前記暖房バーナ、前記給湯能力切換弁、及び前記暖房能力切換弁の駆動を制御するコントローラと、前記給湯バーナ及び前記暖房バーナに向けて燃焼用の空気を供給するファンと、を備えた熱源装置であって、前記コントローラは、前記複数の給湯バーナブロックの全てに燃料ガスを供給して前記給湯バーナを燃焼させる給湯全開燃焼制御の実行中で、該給湯全開燃焼制御の開始時点から所定時間が経過していない場合に、前記複数の暖房バーナブロックの全てに燃料ガスを供給して前記暖房バーナを燃焼させる暖房全開燃焼制御を開始するときには、前記複数の暖房バーナブロックの一部又は全てへの燃料ガスの供給を遮断した状態とし、前記給湯全開燃焼制御の開始時点から所定時間が経過したときに前記暖房全開燃焼制御を開始することを特徴とする。
【００１０】
本発明によれば、コントローラは、給湯全開燃焼制御を開始してから燃焼が安定する所定時間が経過するまでは、暖房全開燃焼制御を行わずに、複数の暖房バーナブロックの一部又は全てへの燃料ガスの供給を遮断した状態とする。これにより、１個のファンにより給湯バーナと暖房バーナとに燃焼用の空気を供給する熱源装置でも、所望の給湯温度を確保することができ、給湯使用者に違和感を与えることがない。さらに、給湯バーナの燃焼が不安定な状態で暖房全開燃焼制御を行った場合に発生しやすい共鳴音（異常音）の発生を防止することができる。
【００１１】
また、給湯全開燃焼が安定した状態になった後には、暖房全開燃焼制御を開始することができる。
【図面の簡単な説明】
【００１２】
【図１】熱源装置の構成図。
【図２】暖房バーナの燃焼状態を示す概略図。
【図３】給湯燃焼と暖房燃焼とを同時に行なう場合のフローチャート。
【発明を実施するための形態】
【００１３】
図１に示すように、本実施形態の熱源装置は、単一の缶体１内に、給湯用の給湯燃焼部２−１と暖房及び追焚き用の暖房燃焼部２−２とが仕切り壁１ａを隔てて並設された１缶式の複合型の熱源装置であり、コントローラ２０によって全体の作動が制御される。
【００１４】
コントローラ２０は、図示しないＣＰＵ、メモリ、入出力インターフェース等により構成された電子回路ユニットであり、メモリに保持された熱源装置の制御用プログラムをＣＰＵで実行することによって、コントローラ２０は、後述する「給湯運転」、「湯張り運転」、「追焚き運転」、及び「暖房運転」を実行する機能を果す。
【００１５】
コントローラ２０には、熱源装置を遠隔操作するためのリモコン２５が接続されている。リモコン２５には、「湯張り運転」の実行を指示するための湯張りスイッチ２７、「追焚き運転」の実行を指示するための追焚きスイッチ２８、熱源装置を運転状態（各運転の実行が可能な状態）と待機状態（各運転の実行が不能であって、運転状態への切り替え操作のみが可能な状態）に切替えるための運転スイッチ２９、及び表示部２６等が備えられている。
【００１６】
給湯燃焼部２−１は、給湯熱交換器３−１とこれを加熱する給湯バーナ４−１とを有している。暖房燃焼部２−２は、暖房及び追焚き用の暖房熱交換器３−２とこれを加熱する暖房バーナ４−２とを有している。給湯燃焼部２−１と暖房燃焼部２−２には共通の燃焼ファン５から燃焼用空気が供給される。
【００１７】
給湯バーナ４−１の燃焼排気は、給湯熱交換器３−１に導かれて給湯熱交換器３−１で熱交換した後に、給湯熱交換器３−１及び暖房熱交換器３−２の上側の排気フード６に流れて排気フード６に形成された排気口６ａから外部に排出される。同様に、暖房バーナ４−２の燃焼排気は、暖房熱交換器３−２に導かれて暖房熱交換器３−２で熱交換器した後に、排気フード６に流れて排気口６ａから外部に排出される。なお、給湯バーナ４−１及び暖房バーナ４−２の燃焼量に対応した量の燃焼用空気が供給されるように、コントローラ２０により燃焼ファン５の回転速度が制御される。
【００１８】
給湯熱交換器３−１には、上流側の給水管８ａと下流側の給湯管８ｂとが接続されている。給水管８ａには、流量センサ８１とコントローラ２０により制御される流量調節弁８２とが設けられている。さらに、流量調節弁８２の下流側で給水管８ａと給湯管８ｂとを連通するバイパス管８ｃが設けられ、バイパス管８ｃにはコントローラ２０により制御されるバイパス流量調節弁８３が設けられている。また、給湯管８ｂには、上流側の湯温センサ８４と、バイパス管８ｃとの合流箇所の下流側の湯温センサ８５とが設けられている。
【００１９】
流量センサ８１と湯温センサ８４，８５の検出信号はコントローラ２０に入力される。そして、コントローラ２０は、給湯管８ｂの下流端のカラン８６が開栓されて給湯熱交換器３−１への通水が開始され、流量センサ８１の検出流量が所定の下限流量以上となったときに、燃焼ファン５を駆動すると共に、給湯バーナ４−１に点火して「給湯運転」を実行する。
【００２０】
「給湯運転」に際して、コントローラ２０は、湯温センサ８５の検出温度がリモコン２５で設定された給湯温度（目標給湯温度）となるように、給湯バーナ４−１の燃焼量を制御すると共に、バイパス流量調節弁８３によりバイパス管８ｃの流水量（バイパスミキシング量）を制御する。
【００２１】
また、コントローラ２０は、給湯バーナ４−１の燃焼量を最大にしても、湯温センサ８５の検出温度がリモコン２５で設定された給湯温度に達しないときは、流量調節弁８２により給水管８ａの通水量を減少させる。
【００２２】
暖房熱交換器３−２は、要求湯温が比較的高い高温暖房端末である温水式の温風暖房機１０（本発明の暖房端末に相当する）が接続された暖房循環回路９の途中に接続されている。暖房循環回路９は、暖房熱交換器３−２で加熱された温水（本発明の熱媒体に相当する）を温風暖房機１０に送出する暖房往き管９ａと、温風暖房機１０内を流通した温水を暖房熱交換器３−２に戻す暖房戻り管９ｂとにより構成されている。
【００２３】
暖房戻り管９ｂには、シスターン９１と、コントローラ２０により制御される暖房ポンプ９２とが介設されている。そして、温風暖房機１０の運転スイッチ（図示しない）がＯＮ操作されたときに、コントローラ２０は、温風暖房機１０の通水弁１０ａを開弁すると共に、暖房ポンプ９２を駆動して、温風暖房機１０と暖房熱交換器３−２との間で暖房循環回路９を介して温水を循環させる「暖房運転」を実行する。
【００２４】
また、本実施形態では、要求湯温が比較的低い低温暖房端末である床暖房パネル１１（本発明の暖房端末に相当する）が備えられており、暖房ポンプ９２の下流側の暖房戻り管９ｂの部分から床暖房パネル１１に至る低温暖房往き管９ｃが分岐している。床暖房パネル１１内を流通した温水は温風暖房機１０内を流通した湯水と合流してシスターン９１に戻る。
【００２５】
さらに、暖房循環回路９にはバイパス管９ｄが設けられている。床暖房パネル１１の運転スイッチ（図示しない）がＯＮ操作されると、コントローラ２０は、床暖房パネル１１の通水弁１１ａを開弁すると共に、暖房ポンプ９２を駆動して「暖房運転」を実行する。これにより、バイパス管９ｄを経由して暖房熱交換器３−２に温水が循環されると共に、暖房ポンプ９２から送出される温水の一部が床暖房パネル１１に供給され、暖房熱交換器３−２からの熱がシスターン９１を介して床暖房パネル１１に伝達される。
【００２６】
暖房往き管９ａの上流部には、暖房熱交換器３−２から送出される温水の温度を検出する湯温センサ９３が設けられており、湯温センサ９３の検出信号がコントローラ２０に入力される。そして、コントローラ２０は、温風暖房機１０や床暖房パネル１１の運転スイッチ（図示しない）がＯＮ操作されて「暖房運転」を行なう際に、湯温センサ９３で検出される暖房側出湯温度が温風暖房機１０や床暖房パネル１１の要求湯温となるように、暖房バーナ４−２の燃焼量を制御する。なお、温風暖房機１０の要求湯温は比較的高温（例えば８０℃）であり、床暖房パネル１１の要求湯温は比較的低温（例えば６０℃）である。
【００２７】
また、暖房熱交換器３−２は、風呂の追焚きを行なう際の熱源としても機能する。浴槽１２に接続された風呂循環回路１３（風呂往き管１３ａと風呂戻り管１３ｂにより構成される）には、コントローラ２０により制御される風呂ポンプ１３１と液々熱交換器１３２とが介設されている。また、暖房循環回路９には、暖房往き管９ａから液々熱交換器１３２を経由してシスターン９１に至る追焚き管９ｅが設けられている。
【００２８】
そして、リモコン２５に備えられた追焚きスイッチ２８がＯＮ操作されると、コントローラ２０は、風呂ポンプ１３１を駆動して風呂循環回路１３に浴槽１２内の湯水を循環させると共に暖房ポンプ９２を駆動し、暖房バーナ４−２に点火して「追焚き運転」を実行する。「追焚き運転」においては、暖房熱交換器３−２で加熱された温水が液々熱交換器１３２を経由して暖房循環回路９を循環し、風呂循環回路１３を循環する浴槽１２の湯水が液々熱交換器１３２で加熱される。
【００２９】
風呂循環回路１３と液々熱交換器１３２との接続箇所の付近には、戻り側に戻り温度センサ１４１（検出温度Ｔin）が設けられ、往き側に往き温度センサ１４０（検出温度Ｔout）が設けられている。また、風呂循環回路１３には、風呂循環回路１３内を湯水が循環していることを検出する風呂水流スイッチ１４２が設けられている。そして、戻り温度センサ１４１と往き温度センサ１４０と風呂水流スイッチ１４２の検出信号がコントローラ２０に入力される。コントローラ２０は、戻り温度センサ１４１の検出温度がリモコン２５で設定された追焚き温度まで上昇したときに「追焚き運転」を終了する。
【００３０】
また、風呂循環回路１３には、給湯管８ｂから分岐した湯張り管１３５が逆止弁１３６を介してＸで接続されている。湯張り管１３５には、コントローラ２０により制御される湯張り開閉弁１３７が介設されている。コントローラ２０は、リモコン２５に備えられた湯張りスイッチ２７がＯＮ操作されたときに、湯張り開閉弁１３７を開弁して、給湯熱交換器３−１で加熱された湯を湯張り管１３５を経由して、リモコン２５で設定された湯張りレベル（湯張り設定水位）まで浴槽１２に供給する「湯張り運転」を実行する。
【００３１】
次に、給湯バーナ４−１及び暖房バーナ４−２に対して、燃料ガスを供給するための構成について説明する。給湯バーナ４−１と暖房バーナ４−２に対する共通の燃料ガス供給路４０には、燃料ガス供給路４０を開閉するガス元弁４１と燃料ガス供給路４０の開度を変更するガス比例弁４２とが設けられている。
【００３２】
そして、燃料ガス供給路４０から給湯バーナ４−１用の給湯能力切換弁４３Ｓ，４３Ｍ，４３Ｌを介して給湯バーナ４−１に燃料ガスが供給される。また、燃料ガス供給路４０から暖房バーナ４−２用の暖房能力切換弁４４Ｓ，４４Ｌを介して暖房バーナ４−２に燃料ガスが供給される。
【００３３】
ここで、給湯バーナ４−１は、１５個の単位バーナ４ａで構成され、給湯能力切換弁４３Ｓに接続された給湯バーナブロック４−１Ｓは３個の単位バーナ４ａを備え、給湯能力切換弁４３Ｍに接続された給湯バーナブロック４−１Ｍは５個の単位バーナ４ａを備え、給湯能力切換弁４３Ｌに接続された給湯バーナブロック４−１Ｌは７個の単位バーナ４ａを備えている。
【００３４】
給湯バーナ４−１の燃焼範囲（燃焼面積）は、複数の給湯バーナブロック４−１Ｓ，４−１Ｍ，４−１Ｌにより区画されている。コントローラ２０は、給湯能力切換弁４３Ｓ，４３Ｍ，４３Ｌの開閉を切換えて給湯バーナ４−１の燃焼範囲を変更する。
【００３５】
また、暖房バーナ４−２は、６個の単位バーナ４ａで構成され、暖房能力切換弁４４Ｓに接続された暖房バーナブロック４−２Ｓは２個の単位バーナ４ａを備え、暖房能力切換弁４４Ｌに接続された暖房バーナブロック４−２Ｌは４個の単位バーナ４ａを備えている。
【００３６】
暖房バーナ４−２の燃焼範囲（燃焼面積）は、複数の暖房バーナブロック４−２Ｓ，４−２Ｌにより区画され、コントローラ２０は、暖房能力切換弁４４Ｓ，４４Ｌの開閉を切換えて暖房バーナの燃焼範囲を変更する。
【００３７】
図２に示すように、暖房バーナ４−２の燃焼範囲は、暖房能力切換弁４４Ｌと暖房能力切換弁４４Ｓを共に開弁し、暖房バーナブロック４−２Ｓ，４−２Ｌの６個の単位バーナ４ａの全てが燃焼している状態の「燃焼範囲大」（図２Ａ）設定と、暖房能力切換弁４４Ｌを開弁して暖房能力切換弁４４Ｓを閉弁し、暖房バーナブロック４−２Ｌの４個の単位バーナ４ａのみ燃焼している状態の「燃焼範囲中」（図２Ｂ）設定と、暖房能力切換弁４４Ｓを開弁して暖房能力切換弁４４Ｌを閉弁し、暖房バーナブロック４−２Ｓの２個の単位バーナ４ａのみ燃焼している状態の「燃焼範囲小」（図２Ｃ）設定とに切替えられる。
【００３８】
次に、暖房燃焼を制限する燃焼制御に関して、図３のフローチャートを参照して説明を行う。
【００３９】
図３に示すように、コントローラ２０は、給湯燃焼命令を受ける（ＳＴＥＰ１）と、給湯バーナ４−１の１５個の単位バーナ４ａの全てを燃焼する給湯全開燃焼命令であるか否かを確認し（ＳＴＥＰ２）、給湯全開燃焼命令である場合（ＳＴＥＰ２で「ＹＥＳ」）、暖房全開燃焼中（暖房バーナ４−２の燃焼範囲が「燃焼範囲大」設定）であるか否かを確認する（ＳＴＥＰ３）。なお、給湯全開燃焼命令でない場合（ＳＴＥＰ２で「ＮＯ」）、再びＳＴＥＰ２が行われる。
【００４０】
暖房全開燃焼である場合（ＳＴＥＰ３で「ＹＥＳ」）、コントローラ２０は、暖房能力切換弁４４Ｓを閉弁して、暖房能力切換弁４４Ｓに接続された暖房バーナブロック４−２Ｓの２個の単位バーナ４ａの燃焼を停止し、暖房バーナ４−２の燃焼範囲を「燃焼範囲中」に切替える（ＳＴＥＰ４）。なお、暖房バーナ４−２の一部又は全てを燃焼停止すればよく、暖房バーナ４−２の燃焼範囲を「燃焼範囲小」に切替える、又は暖房バーナ４−２の全てを燃焼停止するようにしてもよい。
【００４１】
コントローラ２０は、暖房バーナ４−２の燃焼範囲を「燃焼範囲中」に切替えた後、給湯能力切換弁４３Ｓ，４３Ｍ，４３Ｌを開弁して、給湯能力切換弁４３Ｓ，４３Ｍ，４３Ｌに接続された給湯バーナ４−１の１５個の単位バーナ４ａの全てを燃焼する給湯全開燃焼を開始するように制御する（ＳＴＥＰ５）。
【００４２】
コントローラ２０は、給湯バーナ４−１の１５個の単位バーナ４ａの全てを燃焼している時間（以下、「給湯全開燃焼時間」と称する）が、所定時間（例えば３０秒）経過したか否かを判定する（ＳＴＥＰ６）。給湯全開燃焼時間が３０秒経過したと判定した場合（ＳＴＥＰ６で「ＹＥＳ」）には、コントローラ２０は、暖房能力切換弁４４Ｓを開弁して、暖房能力切換弁４４Ｓに接続された暖房バーナブロック４−２Ｓの２個の単位バーナ４ａの燃焼を開始させ、暖房バーナ４−２の燃焼範囲を「燃焼範囲大」に切替える（ＳＴＥＰ７）。給湯全開燃焼時間が３０秒経過していないと判定した場合（ＳＴＥＰ６で「ＮＯ」）、再びＳＴＥＰ６が行われる。なお、上記所定時間の３０秒は、給湯全開燃焼時に給湯バーナ４−１の燃焼が安定するまでの時間である。
【００４３】
ＳＴＥＰ７以降、コントローラ２０は、暖房燃焼制限することなく、命令された熱量に応じた暖房燃焼制御を行う（ＳＴＥＰ８）。以上のＳＴＥＰ１〜ＳＴＥＰ８が、給湯燃焼制御となる。
【００４４】
一方、暖房全開燃焼でない場合（ＳＴＥＰ３で「ＮＯ」）、コントローラ２０は、給湯能力切換弁４３Ｓ，４３Ｍ，４３Ｌに接続された給湯バーナ４−１の１５個の単位バーナ４ａの全てを燃焼するように制御する（ＳＴＥＰ９）。
【００４５】
コントローラ２０は、給湯全開燃焼時間が、例えば３０秒経過したか否かを判定する（ＳＴＥＰ１０）。給湯全開燃焼時間が３０秒経過したと判定した場合（ＳＴＥＰ１０で「ＹＥＳ」）、これ以降、コントローラ２０は、暖房燃焼制限することなく、命令された熱量に応じた暖房燃焼制御を行う（ＳＴＥＰ８）。
【００４６】
給湯全開燃焼時間が、３０秒経過していないと判定した場合（ＳＴＥＰ１０で「ＮＯ」）、コントローラ２０は、暖房バーナ４−２の６個の単位バーナ４ａの全てを燃焼する暖房全開燃焼命令があったか否かを判定する（ＳＴＥＰ１１）。
【００４７】
暖房全開燃焼命令があったと判定した場合（ＳＴＥＰ１１で「ＹＥＳ」）、暖房能力切換弁４４Ｌを開弁し、暖房能力切換弁４４Ｓを閉弁して、暖房バーナ４−２の燃焼範囲を「燃焼範囲中」にして暖房燃焼を行う（ＳＴＥＰ１２）。なお、暖房バーナ４−２の一部又は全てを燃焼停止した状態にすればよく、暖房バーナ４−２の燃焼範囲を「燃焼範囲小」に切替える、又は暖房バーナ４−２の全てを燃焼停止するようにしてもよい。また、暖房全開燃焼命令がなかったと判定した場合（ＳＴＥＰ１１で「ＮＯ」）、再びＳＴＥＰ１０が行われる。
【００４８】
コントローラ２０は、暖房バーナ４−２の燃焼範囲を「燃焼範囲中」にして暖房燃焼を行っている状態で、給湯全開燃焼時間が、例えば３０秒経過したか否かを判定する（ＳＴＥＰ１３）。給湯全開燃焼時間が３０秒経過したと判定した場合（ＳＴＥＰ１３で「ＹＥＳ」）、これ以降、コントローラ２０は、暖房燃焼制限することなく、命令された熱量に応じた暖房燃焼制御を行う（ＳＴＥＰ８）。なお、給湯全開燃焼時間が３０秒経過していないと判定した場合（ＳＴＥＰ１３で「ＮＯ」）、再びＳＴＥＰ１３が行われる。
【００４９】
以上のＳＴＥＰ９〜ＳＴＥＰ１３が、暖房燃焼制御となる。このような暖房燃焼制御と上記した給湯燃焼制御とは、どちらか一方を行えばよく、どちらか一方を行った場合でも本発明の効果を得ることができる。
【００５０】
このような制御を行うことで、給湯全開燃焼時の燃焼が安定するまでは暖房全開燃焼状態にはしないので、所望の給湯温度を確保することができ、給湯使用者に違和感を与えることがない。さらに、給湯全開燃焼時の燃焼が安定していない状態で暖房全開燃焼状態にした場合に発生しやすい共鳴音（異常音）の発生を防止することができる。
【００５１】
また、給湯全開燃焼が安定した状態になった後には、暖房全開燃焼状態に切替えることができる。
【００５２】
また、本実施形態においては、暖房用の熱媒体として温水を用いた熱源装置を示したが、不凍液等の温水以外の熱媒体を用いた熱源装置に対しても、本発明の適用が可能である。
【符号の説明】
【００５３】
２−１…給湯燃焼部、２−２…暖房燃焼部、３−１…給湯熱交換器、３−２…暖房熱交換器、４−１…給湯バーナ、４−２…暖房バーナ、４−１Ｓ，４−１Ｍ，４−１Ｌ…給湯バーナブロック、４−２Ｓ，４−２Ｌ…暖房バーナブロック、５…燃焼ファン、８ａ…給水管、８ｂ…給湯管、９…暖房循環回路、１０…温風暖房機、１１…床暖房パネル、２０…コントローラ、２５…リモコン、４２…ガス比例弁、４３Ｓ，４３Ｍ，４３Ｌ…給湯能力切換弁、４４Ｓ，４４Ｌ…暖房能力切換弁
【図１】
2017156034.tif 000003
【図２】
2017156034.tif 000004
【図３】
2017156034.tif 000005